(57)【特許請求の範囲】
【請求項１】
ユーザの操作により、設定可能な複数の撮影モードのうち全てより少ない複数の撮影モードであって、複数の設定項目の設定値を含む設定値のセットをユーザが設定しておくことが可能なカスタム設定モードを含む複数の撮影モードを特定の操作部材に割り当てることが可能な登録手段と、
前記特定の操作部材が操作されたことを検出すると、前記登録手段によって当該特定の操作部材に割り当てられた複数の撮影モードのいずれかに切り替えるモード切替手段と、
シャッターボタンの操作に応じて、前記モード切替手段により切り替えられた撮影モードに対応付けて記憶された設定値のセットを反映した撮影処理を実行する制御手段と、
ユーザが撮像装置を保持するためのグリップ部と、を有し、
前記特定の操作部材は前記シャッターボタンと同じ高さまたは上部であって、前記撮像装置に装着されたレンズユニットよりも前記グリップ部側かつ前記シャッターボタン側に配置されていることを特徴とする撮像装置。
【請求項２】
前記特定の操作部材は、操作部材のうち、前記シャッターボタンに最も近い場所に配置されている操作部材であることを特徴とする請求項１に記載の撮像装置。
【請求項３】
前記特定の操作部材は、前記撮像装置の背面以外の場所に配置されていることを特徴とする請求項１または２に記載の撮像装置。
【請求項４】
前記設定可能な複数の撮影モードは更に、所定の操作部材で絞り値を変更可能なＡｖモード、前記所定の操作部材でシャッタースピードを設定可能なＴｖモード、プログラムモード、マニュアルモードのうち少なくとも１つを含むことを特徴とする請求項１ないし３のいずれか１項に記載の撮像装置。
【請求項５】
前記設定値のセットは、シャッター秒時、絞り値、ＩＳＯ感度、ドライブモード、露出補正値、調光補正値、ホワイトバランス設定値のうち少なくとも２つを含むことを特徴とする請求項１ないし４のいずれか１項に記載の撮像装置。
【請求項６】
前記登録手段は、複数の前記カスタム設定モードを前記特定の操作部材に割り当てることが可能であることを特徴とする請求項１ないし５のいずれか１項に記載の撮像装置。
【請求項７】
ユーザの操作により、設定可能な複数の撮影モードのうち全てより少ない複数の撮影モードであって、複数の設定項目の設定値を含む設定値のセットをユーザが設定しておくことが可能なカスタム設定モードを含む複数の撮影モードを特定の操作部材に割り当てることが可能な登録手段と、ユーザが保持するためのグリップ部と、を有する撮像装置の制御方法であって、
シャッターボタンと同じ高さまたは上部であって、前記撮像装置に装着されたレンズユニットよりも前記グリップ部側かつ前記シャッターボタン側に配置されている前記特定の操作部材が操作されたことを検出する検出工程と、
前記検出工程により前記特定の操作部材が操作されたことが検出されたことに応じて、前記登録手段によって前記特定の操作部材に割り当てられた複数の撮影モードのいずれかに切り替えるモード切替工程と、
前記シャッターボタンの操作に応じて、前記モード切替工程により切り替えられた撮影モードに対応付けて記憶された設定値のセットを反映した撮影処理を実行する制御工程と、を有することを特徴とする撮像装置の制御方法。
【請求項８】
コンピュータを、請求項１ないし６のいずれか１項に記載された撮像装置の各手段として機能させるためのプログラム。
【請求項９】
コンピュータを、請求項１ないし６のいずれか１項に記載された撮像装置の各手段として機能させるためのプログラムを記憶したコンピュータによる読み取りが可能な記憶媒体。
【発明の詳細な説明】
【技術分野】
【０００１】
本発明は、撮像装置におけるモード切り替え技術に関する。
【背景技術】
【０００２】
全撮影モードから任意の撮影モードを選ぶ撮影モードダイヤルのような操作部材とは別の用途として、ユーザが任意に特定の操作部材に撮影モードや表示モードなどの特定の機能を割り当てて登録できる技術が提案されている。
【０００３】
例えば、特許文献１には、記憶しておいた以前の撮影条件を呼び出すための操作部材を設けることが記載されている。また、特許文献２には、表示モードをカスタマイズして登録できるようにして、登録された表示モードを操作部材によって切り替えていく手段が記載されている。
【先行技術文献】
【特許文献】
【０００４】
【特許文献１】特開平０６−０９５１９６号公報
【特許文献２】特開２００７−２４３９２３号公報
【発明の概要】
【発明が解決しようとする課題】
【０００５】
しかしながら、上記特許文献１，２では、以下のような課題が解決できずに内在している。すなわち、例えばサッカーの撮影時にスタジアムによっては、選手が日陰から日向に移動したり、逆に日向から日陰に移動したりと被写体の状況が瞬時に変化し、それに合わせて撮影条件の設定を瞬時に変更すべき場合がある。
【０００６】
このとき、撮影者は撮影条件を変更するために操作部材を操作するが、その操作部材がシャッターボタンから離れた場所にあると、撮影者がカメラを保持した姿勢のままシャッターボタンに指をかけられる撮影姿勢を崩さなくてはならない場合がある。また、その操作部材がシャッターボタンに指をかけたまま操作できる場所にあっても、空いた指や手で操作部材を誤って操作してしまうと、まさに撮影しようとしてシャッターチャンスを伺っている土壇場の状況で撮影モードが意図せず変わってしまうことがある。
【０００７】
本発明は、上記課題に鑑みてなされ、その目的は、シャッターボタンに指をかけられる撮影姿勢を保持したまま状態で、誤操作を防ぎつつ撮影モードを瞬時に切り替えられる技術を実現することである。
【課題を解決するための手段】
【０００８】
上記課題を解決し、目的を達成するために、本発明の撮像装置は、ユーザの操作により、設定可能な複数の撮影モードのうち全てより少ない複数の撮影モードであって、複数の設定項目の設定値を含む設定値のセットをユーザが設定しておくことが可能なカスタム設定モードを含む複数の撮影モードを特定の操作部材に割り当てることが可能な登録手段と、前記特定の操作部材が操作されたことを検出すると、前記登録手段によって当該特定の操作部材に割り当てられた複数の撮影モードのいずれかに切り替えるモード切替手段と、シャッターボタンの操作に応じて、前記モード切替手段により切り替えられた撮影モードに対応付けて記憶された設定値のセットを反映した撮影処理を実行する制御手段と、ユーザが撮像装置を保持するためのグリップ部と、を有し、前記特定の操作部材は前記シャッターボタンと同じ高さまたは上部であって、前記撮像装置に装着されたレンズユニットよりも前記グリップ部側かつ前記シャッターボタン側に配置されている。
【発明の効果】
【０００９】
本発明によれば、シャッターボタンに指をかけられる撮影姿勢を保持したまま状態で、誤操作を防ぎつつ撮影モードを瞬時に切り替えることができる。
【図面の簡単な説明】
【００１０】
【図１】本実施形態における撮像装置の概略構成を示すブロック図。
【図２】本実施形態の撮像装置を前面から見た外観図。
【図３】本実施形態の撮像装置を背面から見た外観図。
【図４】本実施形態の操作部材に割り当てられた機能を例示する図。
【図５】本実施形態の撮影モードの登録画面を例示する図。
【図６】本実施形態の撮影モードの登録内容を例示する図。
【図７】本実施形態の撮像装置による撮影処理を示すフローチャート。
【図８】撮影者が撮影姿勢に入った時の撮像装置の状態を例示する図。
【発明を実施するための形態】
【００１１】
以下に、本発明を実施するための形態について添付図面を参照して詳細に説明する。
【００１２】
［実施形態１］本実施形態では、本発明の撮像装置をデジタルビデオカメラ（以下、カメラ）に適用した実施形態について説明する。
【００１３】
＜撮像装置の構成＞図１を参照して、本実施形態のカメラ１００の構成について概説する。
【００１４】
図１において、レンズユニット１５０はカメラ１００に対して交換可能となっており、ズームレンズやフォーカスレンズを含み、かつ絞り機能も有している。レンズユニット１５０はレンズ通信部１０１によりカメラ１００と通信する。主ミラー１０２はレンズユニット１５０から入射した光束をファインダ１０５と撮像部１０７とに切り替える。主ミラー１０２は、非撮影時はレンズユニット１５０から入射した光束の光路上にあり、ファインダ１０５へと光束を導くよう反射位置にあるが、撮影時には撮像部１０７へと光束を導くように上方に跳ね上がり光路上から待避される。
【００１５】
主ミラー１０２に入射した光束はペンタプリズム１０３に入射する。ペンタプリズム１０３に入射した光束はプリズム内部で反射を繰り返し、測光センサ１０４に入射すると共に、ファインダ１０５に入射する。
【００１６】
測光センサ１０４はレンズユニット１５０から入射する光束により被写体輝度を測光して測光データを生成する。システム制御部１１１は、測光データを用いてストロボの発光量などを演算する。
【００１７】
１０６はシャッターである。撮像部１０７は被写体像を電気信号に変換するＣＣＤやＣＭＯＳなどで構成される撮像素子を有する。Ａ／Ｄ変換部１０８は、撮像部１０７から出力されるアナログ電気信号をデジタル信号に変換する。
【００１８】
画像処理部１０９は、Ａ／Ｄ変換部１０８からのデジタル画像信号、またはメモリ１１２から読み出した画像データに対し所定の画素補間、縮小といったリサイズ処理や色変換処理を行う。また、画像処理部１０９は、デジタル画像信号に変換された撮像データを用いて所定の演算処理を行い、システム制御部１１１は、その演算結果に基づいて露光制御及び測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が実現される。画像処理部１０９では更に、撮像データを用いて所定の演算処理を行い、システム制御部１１１は、その演算結果に基づいてＴＴＬ方式のＡＷＢ（オートホワイトバランス）処理も行う。
【００１９】
Ａ／Ｄ変換部１０８から出力される画像データは、画像処理部１０９とメモリ制御部１１０を介して、または、メモリ制御部１１０を介してメモリ１１２に直接書き込まれる。メモリ１１２は、撮像部１０７にて生成されてＡ／Ｄ変換部１０８によりデジタル信号に変換された画像データや、表示部１１３に表示するためのデータを格納する。メモリ１１２は、所定枚数の静止画データや所定時間の動画データ及び／又は音声データを格納するのに十分な記憶容量を備えている。
【００２０】
また、メモリ１１２は画像表示用のビデオメモリを兼ねている。Ｄ／Ａ変換部１１４は、メモリ１１２に格納されている表示用の画像データをアナログ信号に変換して表示部１１３に供給する。こうして、メモリ１１２に書き込まれた表示用の画像データはＤ／Ａ変換部１１４を介して表示部１１３に表示される。表示部１１３はＬＣＤ等の表示パネルを有し、Ｄ／Ａ変換部１１４でアナログ信号に変換された表示用画像データを表示する。このように、Ａ／Ｄ変換部１０８でデジタル信号に変換されメモリ１１２に格納された画像データをＤ／Ａ変換部１１４にてアナログ信号に変換し、表示部１１３に逐次転送して表示することで、電子ビューファインダとして機能し、スルー画像が表示できる。
【００２１】
不揮発性メモリ１１８は、例えばＥＥＰＲＯＭなどの電気的に消去・記録可能な記憶媒体である。不揮発性メモリ１１８は、システム制御部１１１の動作用の定数、プログラムなどを記憶している。ここでいう、プログラムとは、後述するフローチャートの処理を実行するためのプログラムを含む。
【００２２】
システム制御部１１１は、カメラ１００全体を制御する。上記不揮発性メモリ１１８に記憶されたプログラムを実行することで、後述する本実施形態の処理を実現する。システムメモリ１１６にはＲＡＭが用いられ、システム制御部１１１の動作用の定数、変数、不揮発性メモリ１１８から読み出したプログラムなどを展開するワークエリアとして用いられる。また、システム制御部１１１はメモリ１１２、Ｄ／Ａ変換部１１４、表示部１１３を制御することで表示制御も行う。
【００２３】
システムタイマー１１５は各種制御に用いられる時間や、内蔵時計を計時する。
【００２４】
シャッターボタンは第１シャッタースイッチ１２１及び第２シャッタースイッチ１２２を含み、操作部１３０はシステム制御部１１１に各種の動作指示を入力するための操作手段である。
【００２５】
第１シャッタースイッチ１２１は、カメラ１００に設けられたシャッターボタンの操作途中、いわゆる半押し（撮影準備指示）でＯＮとなり第１シャッタースイッチ信号ＳＷ１を発生する。システム制御部１１１は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第２シャッタースイッチ１２２は、シャッターボタンの操作完了、いわゆる全押し（撮影指示）でＯＮとなり、第２シャッタースイッチ信号ＳＷ２を発生する。システム制御部１１１は、第２シャッタースイッチ信号ＳＷ２により、撮像部１０７からの信号読み出しから記録媒体１４０へ画像データを書き込むまでの一連の撮影処理を開始する。
【００２７】
操作部１３０の各操作部材は、表示部１１３に表示される種々の機能アイコンを選択するなどして、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタンなどがある。例えば、後述するメニューボタン２３９が押されると各種の設定可能なメニュー画面が表示部１１３に表示される。
【００２８】
メニュー操作用部材として上下左右の４方向ボタン１２４とＳＥＴボタン１２５が用意されており、ユーザは表示部１１３に表示されたメニュー画面と、上記４方向ボタン１２４やＳＥＴボタン１２５を操作することで直感的に各種設定を行える。
【００２９】
電源制御部１２０は、電池検出回路、ＤＣ−ＤＣコンバータ、通電するブロックを切り替えるスイッチ回路等により構成され、電池の装着の有無、電池の種類、電池残量の検出を行う。また、電源制御部１２０は、それら検出結果及びシステム制御部１１１の指示に基づいてＤＣ−ＤＣコンバータを制御し、必要な電圧を必要な期間、記録媒体１４０を含む各部へ供給する。１２３は電源スイッチであり、電源のオン／オフを切り替える。
【００３０】
電源部１１９は、アルカリ電池やリチウム電池等の一次電池やＮｉＣｄ電池やＮｉＭＨ電池、Ｌｉ電池等の二次電池、ＡＣアダプタ等からなる。記録媒体Ｉ／Ｆ１１７は、記録媒体１４０へのアクセスを制御するインターフェースである。記録媒体１４０は、画像データを記録するためのメモリカードやハードディスクなどである。
【００３１】
図２はカメラを前面から見た外観図である。図２において、２４１はレンズ装着部であり、その内部にはレンズ通信部１０１としてレンズとの通信を行う通信端子がある。主ミラー１０２は非撮影時は図示のように閉じた状態であり、ファインダ１０５へと光束を導くよう光路上にある。シャッターボタン２５０は図１で説明したシャッタースイッチ１２１，１２２を兼ねており、半押しでスイッチ信号ＳＷ１、全押しでスイッチ信号ＳＷ２を発生する。操作部材２３８は図１の操作部１３０の１つであり、Ａｖモード時は絞り値の設定変更に、Ｔｖモード時はシャッタースピードの設定変更によって操作が異なっており、回動操作によって設定値を変更できる。グリップ部２４０は撮影者がカメラ１００を保持するために右手で握る部分である。その他の操作部材については後述する。
【００３２】
図３はカメラを背面から見た外観図である。図３において、表示部１１３には画像や各種情報が表示される。操作部材２３９は図１の操作部１３０の１つであり、メニュー画面を表示する。上下左右の４方向ボタン１２４とＳＥＴボタン１２５はカメラ１００の背面に配置され、表示部１１３を見ながら４方向ボタン１２４で選択、ＳＥＴボタン１２５で決定することができる。
【００３３】
＜操作部材の配置＞本実施形態では、特定の操作部材に、設定可能な複数の撮影モードのうち全てより少ない複数の撮影モードが登録可能とされている。これは、余計な撮影モードを経由することなく必要な撮影モードに素早く切り替えたいという意図であり、全撮影モードの中から選択する場合より、急いで撮影モードを切り替えたい場合に有効となる。
【００３４】
また、ユーザ自身が登録した撮影モードであるため、全撮影モードの中から選択する場合よりも、どの撮影モードに切り替わるかを把握しやすいと考えられ、表示部などで設定変更を確認しにくいファインダを覗き込みながらの姿勢でも利用可能となる。この点で、全撮影モードから任意の撮影モードを選ぶ撮影モードダイヤルのような操作部材とは性質（利用意図）が異なっている。
【００３５】
上記のような特徴的な利用目的の操作部材であることを鑑みて、本発明では以下のように操作部材を配置している。即ち、
（１）シャッターボタンと同じ高さまたは上部に配置する。これにより、シャッターボタンを押す方の手（右手）の人差し指より下にくる手（中指、薬指、小指）では操作がしにくく、人指し指でなければ操作できない構成となる。するとシャッターボタンを１回離してからでないと操作できないので、スイッチ信号ＳＷ１（半押し状態）でいよいよ撮影しようとしてシャッターチャンスを伺っている土壇場の状況で撮影モードが意図せず変わってしまうということを防止できる。
【００３６】
（２）シャッターボタンに最も近い場所に配置する。これにより、より右手人指し指が素早く届くという効果がある。
【００３７】
（３）レンズユニットよりグリップ部側に配置する。これにより、左手での誤操作を防ぐことができる。
【００３８】
（４）カメラの背面以外の場所に配置する。これにより、右手親指での誤操作を防ぐことができる。
【００３９】
上記（１）〜（４）の組み合わせで、シャッターボタンに右手人差し指をかけられるように構えた姿勢（図８）を保持したまま右手人差し指が届く範囲に操作部材が配置されるので、素早く撮影モードを切り替えたい、という利用目的を達成できる。
【００４０】
以下に、図２および図３を参照して、本実施形態の操作部材の配置場所について具体的説明する。
【００４１】
図２に示すカメラ１００の配置場所Ａはシャッターボタン２５０と同じ高さまたは上部にあって、カメラ１００の背面ではなく、レンズ装着部２４１よりグリップ部２４０側に配置される。ここに配置された操作部材は、図８に示すように撮影者が撮影姿勢に入った際に、右手人差し指で操作できる。ここでシャッターボタン２５０に最も近い部材を操作部材２３１、それ以外の部材を操作部材群２３２とする。配置場所Ｂはシャッターボタン２５０と同じ高さまたは上部にあって、カメラ１００の背面ではなく、レンズ装着部２４１から見てグリップ部２４０とは反対側に配置される。ここに配置された操作部材は、図８のように撮影者が撮影姿勢に入った際に、レンズユニットを保持している左手を持ち替えることで操作できる。ここで配置場所Ｂにある部材を操作部材群２３３とする。また、配置場所Ｃは、レンズ装着部２４１の側方またはカメラ１００の前面に配置される。ここに配置された操作部材は、図８のように撮影者が撮影姿勢に入った際に、レンズユニットを保持している左手を持ち替えることで操作できる。配置場所Ｃにある部材を操作部材群２３４とする。
【００４２】
図３に示すカメラ１００の背面の配置場所Ｄはファインダ１０５に対してグリップ部２４０とは反対側、配置場所Ｅはファインダ１０５からグリップ部２４０側に配置されている。配置場所Ｅに配置された操作部材は、図８のように撮影者が撮影姿勢に入った際に、その構えのまま右手親指にて操作することができる。また配置場所Ｅに配置された操作部材は、図８のように撮影者が撮影姿勢に入った際に、レンズユニット１５０を保持している左手を持ち替えることで操作できる。配置場所Ｄ、Ｅにある部材をそれぞれ操作部材群２３５，２３６とする。また配置場所Ｆは表示部１１３の下部に配置されており操作部材群２３７とする。ここに配置された操作部材は、図８のように撮影者が撮影姿勢に入った際に、一旦ファインダ１０５から目を離して右手または左手を持ち替えることで操作することができる。
【００４３】
次に、図４〜図８を参照して、本実施形態のカメラ１００の動作について説明する。
【００４４】
まず、撮影前の設定について説明する。
【００４５】
ここで撮影パラメータセットとは撮影時に設定される設定値をまとめたものであり、撮影時の設定項目としてはシャッター秒時や絞り値、ＩＳＯといった露出制御値の他にドライブモード、露出補正値、調光補正値やホワイトバランス設定値がある。この撮影パラメータセットを撮影モードと呼び、登録された撮影パラメータセットからいずれかを選択する機能を“撮影モード選択機能”と呼ぶこととする。
【００４６】
撮影時の設定項目は上記で挙げたものだけでなく、本発明はこれに限定されない。また撮影パラメータセットとして設定される項目は、撮影時の設定項目よりも少なくてもよいし、撮影モードによって異なっていてもよい。
【００４７】
本実施形態では操作部材２３１、操作部材群２３４のうちの２つの操作部材２３４Ａ、２３４Ｂ、操作部材群２３６のうちの２つの操作部材２３６Ａ、２３６Ｂに対して機能を割り当てることができる。図４は各操作部材に割り当てられている機能を表にしたものであり、図４のように各操作部材に機能が割り当てられているとする。図４に示すように操作部材２３１に“撮影モード選択機能”が割り当てられている。もちろん、操作部材２３１に対して、他の機能が割り当てられていることもある。カメラ１００には、不揮発性メモリ１１８に図４と同様の機能と操作部材が対になって記憶されている。システム制御部１１１が操作部材の操作を検出すると不揮発性メモリ１１８から割り当てられた機能を読み出し、その機能を実現するプログラムを実行する。これにより、操作部材２３１に“撮影モード選択機能”を割り当てることができ、特定の操作部材の操作に応じて登録された撮影パラメータセットのいずれかを選択することができる。
【００４８】
本実施形態では操作部材に機能を割り当てることによって、操作部材２３１の操作で“撮影モード選択機能”を実行するようにしたが、操作部材２３１が“撮影モード選択機能”のためだけに用意されていてもよい。
【００４９】
次に、図５、図６を参照して、撮影前に行われる撮影モードの登録について説明する。
【００５０】
メニュー画面に切り替えるための操作部材２３９の操作によって、表示部１１３にメニュー項目が表示される。メニュー項目の中から撮影モードの登録を４方向ボタン１２４で選択し、ＳＥＴボタン１２５を押すことで図５に示す撮影モードの登録画面に移行することができる。
【００５１】
この登録画面には撮影モード５１１とチェックボックス５１２が対となって表示され、画面下部には登録ボタン５１３も表示されている。また現在選択されている撮影モードまたは登録ボタンにはカーソル５１４が表示されている。カスタム設定１，２はユーザが任意の設定値を設定しているモードであり、メニュー画面で設定値を入力し、不揮発性メモリ１１８に記憶させることで、撮影モードをカスタム設定１，２に設定するだけで不揮発性メモリ１１８から設定値を読み出すことができる。
【００５２】
撮影モードの登録方法は、まず４方向ボタン１２４でカーソル５１４を移動させて登録したい撮影モードを選択する。登録したい撮影モードにカーソル５１４が位置しているときにＳＥＴボタン１２５を押すとチェックボックス５１２にチェックマークが付される。ここでカーソル５１４を登録ボタン５１３に合わせてＳＥＴボタン１２５を押すとチェックマークが付いている撮影モードが登録される。
【００５３】
本実施形態では、図５のようにＡｖモード、カスタム設定１、カスタム設定２が登録されており、不揮発性メモリ１１８には図６のように撮影モードが呼び出し順ｎに配列されて記憶されている。
【００５４】
次に図７を参照して、カメラ１００によるモード切替処理および撮影処理について説明する。図７の処理を行うためのプログラムは不揮発性メモリ１１８に予め格納されており、システム制御部１１１が適宜読み出して実行する。
【００５５】
図７において、ステップＳ７０１では、システム制御部１１１は、初期設定を実行する。初期設定では前回の撮影条件を反映するもので、本実施形態では撮影モードがＡｖモードになっており、設定値として露出補正が０、ホワイトバランスがオート設定になっているものとする。
【００５６】
ステップＳ７０２では、システム制御部１１１は操作部材２３８が操作されたか判定し、操作されていればステップＳ７０３、操作されていなければステップＳ７０６に移行する。
【００５７】
ステップＳ７０３では、システム制御部１１１は撮影モードを判定する。撮影モードがＡｖモードであれば操作部材２３８は絞り値を変更する操作部材に設定されており、絞りの値をステップＳ７０４にて設定変更する。他のモードであればステップＳ７０５にてその他の設定値を変更する。Ｔｖモードであればシャッタースピードの値を、Ｐｒｏｇｒａｍモードであれば露出補正値を変更する。
【００５８】
ステップＳ７０６では、システム制御部１１１は次の操作部材としてメニューボタン２３９が操作されたか判定し、操作されていれば表示部１１３にメニュー画面を表示する。ここで露出補正値を設定する場合は、ユーザは露出補正値の設定変更をメニュー中から４方向ボタン１２４で選択し、ＳＥＴボタン１２５を押すことで決定できる。
【００５９】
ＳＥＴボタン１２５が押されると、ステップＳ７０７にてシステム制御部１１１は表示部１１３に露出補正の設定変更画面を表示する。ここで、ユーザは、上記ステップＳ７０６と同様に、４方向ボタン１２４で露出補正値の設定変更画面から設定したい値を選択し、ＳＥＴボタン１２５を押すことで決定できる。
【００６０】
ステップＳ７０９では、システム制御部１１１は不揮発性メモリ１１８に設定値を保存する。他の設定値についても露出補正値と同様にステップＳ７１０、Ｓ７１１にて設定値を変更する。また、他の設定値の選択がない場合は、ステップＳ７１２に移行する。
【００６１】
ステップＳ７１２では、システム制御部１１１は、操作部材２３１が操作されたか判定し、操作されていればステップＳ７１３、操作されていなければステップＳ７１７に移行する。
【００６２】
ステップＳ７１３では、システム制御部１１１は現在操作部材２３１に割り当てられている機能を判定し、撮影モード選択機能が割り当てられていれば、ステップＳ７１４に移行する。一方、他の機能が割り当てられていればステップＳ７１６に移行し、その機能を実行する。
【００６３】
ステップＳ７１４では、システム制御部１１１は現在呼び出されているモードの順序ｎを更新する。例えば現在Ａｖモードであれば不揮発性メモリ１１８は呼び出し順ｎ＝１となっている。ここでステップＳ７１４にて呼び出し順序ｎを、ｎ＝ｎ＋１に更新する。ここで不揮発性メモリ１１８のｎ＝２を呼び出すとカスタム設定１が保存されているため、ステップＳ７１５にてカスタム設定１を撮影モードとし、設定値を不揮発性メモリ１１８から呼び出して設定する。カスタム設定１にホワイトバランス設定値や露出補正値が設定されている場合には、全ての値を設定値に反映する。
【００６４】
ステップＳ７１７では、システム制御部１１１は第１シャッタースイッチ１２１が操作されているか、つまりシャッターボタン２５０が半押しされているか判定する。ここで半押し状態を判定すると、ステップＳ７１８にて撮影準備状態に移行する。この撮影準備状態では、まずＡＦ動作を行い、その後、測光動作を行い、測光値を取得し、得られた測光値に基づいて、撮影時に用いる絞りやシャッタースピード等の露出制御値を演算する。この露出制御値の演算では、撮影モードが切り替えられたことにより変更された設定値が反映される。設定値は、例えば、シャッタースピードや露出補正値である。
【００６５】
ステップＳ７１８での撮影準備状態は、第１シャッタースイッチ１２１が操作されている間、第２シャッタースイッチ１２２が操作されるまで定期的に実行される。
【００６６】
ステップＳ７１９で第２シャッタースイッチ１２２が操作されたならば、システム制御部１１１は撮影処理を開始する。ここでも撮影モードの設定変更によって変更された設定値、例えばホワイトバランス値などを反映する。
【００６７】
ここで、図８を参照して、実際の撮影における操作について、サッカーの試合における撮影を例に挙げて説明する。
【００６８】
屋外のスタジアムにおいて、選手が日陰から日向に移動するようなシーンを撮影する際に撮影者はカメラを構えて、ファインダを覗きながら選手を追う。撮影者は図８のようにカメラ１００を構えている。
【００６９】
ここで選手が日陰から日向に移動した際に、撮影条件が大きく変化する。ここで、撮影者は例えばホワイトバランス値や露出補正値を変更したりする。そこで、カスタム設定１に設定値を保存しておいて撮影モードの選択を行うことで、選手が日陰から日向に移動したときの撮影条件の変化に即応することができる。例えばカスタム設定１にホワイトバランス値を日向に合わせた設定、調光補正を１段低く設定しておくなどすれば、撮影モードを切り替えるだけで、日向に移動した選手を適切な撮影条件で撮影することができる。そして、シャッターボタンに最も近い操作部材に撮影モード選択機能を割り当てておくことで、撮影者は撮影姿勢を保持したままでも右手人差し指が届くため、撮影モードを瞬時に切り替えることができる。
【００７０】
また撮影モードの登録によってその撮影に使用するモードだけを登録しておくことで、より迅速な設定変更が可能となる。
【００７１】
反対に、撮影モードが切り替わることで設定値が大きく変わってしまうことも想定される。特に撮影準備を開始していて第２シャッタースイッチを操作して撮影を実行しようとした瞬間に撮影モードが切り替わってしまうと、全く意図しない画像が撮影されてしまうことがある。
【００７２】
本実施形態では、図８のような撮影姿勢においては、操作部材が右人差し指で操作できる場所、また他の指で操作しづらい場所に配置されている。撮影者はシャッターボタンに右手人差し指をかけて半押することで撮影準備に入る。そのため、撮影準備段階において操作部材が誤操作されることは少なく、撮影しようとした瞬間に撮影モードが切り替わってしまうことも回避できる。
【００７３】
以上のように、本実施形態によればシャッターボタンに指をかけられるカメラの保持姿勢のまま、登録されたパラメータセットを瞬時に切り替えられると共に、撮影直前の誤操作による失敗撮影を回避することができる。
【００７４】
また、図８のようにファインダを覗きながらの撮影においても効果がある。
【００７５】
なお、本実施形態ではシャッターボタンに最も近い操作部材を操作することによって撮影モードを選択しているが、シャッターボタンに指をかけられるカメラの保持姿勢のまま人差し指が届く範囲に操作部材が配置されていればよい。しかしながら、シャッターボタンに最も近い操作部材であれば、シャッターボタンからの距離からして、より瞬時に設定を切り替えられ、より効果的である。
【００７６】
また、カメラによっては背面にある操作部材を人差し指で押せるものもあるが、親指で押してしまう可能性も考えられるため、背面にない操作部材の方がより誤操作を少なくできる。
【００７７】
同様にレンズユニットに対してグリップ部とは反対側にある操作部材を人差し指で押せるものもあるが、左手で押してしまう可能性も考えられるため、レンズユニットよりグリップ部側にある操作部材の方がより誤操作を少なくできる。
【００７８】
なお、システム制御部１１１の制御は１つのハードウェアが行ってもよいし、複数のハードウェアが処理を分担することで、装置全体の制御を行ってもよい。
【００７９】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８０】
［他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005785428.tif 000002
【図４】
0005785428.tif 000003
【図５】
0005785428.tif 000004
【図６】
0005785428.tif 000005
【図７】
0005785428.tif 000006
【図２】
0005785428.tif 000007
【図３】
0005785428.tif 000008
【図８】
0005785428.tif 000009